【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、前記方法が、
複数のサブフレームを利用して下位エンティティによってアップリンク確認応答(ACK)送信が送信されるための構成可能な遅延を決定するステップであって、前記構成可能な遅延は、前記アップリンクACKを送信する前に、前記下位エンティティがダウンリンクデータパケットを処理するために利用可能な整数個のサブフレームに対応する、ステップと、
前記複数のサブフレームのうちの第1のサブフレームのリソースの許可を前記下位エンティティへ送信するステップであって、前記許可が、前記構成可能な遅延を示す、ステップと、
前記リソースを使用して前記第1のサブフレームの間に前記ダウンリンクデータパケットを前記下位エンティティへ送信するステップと、
前記構成可能な遅延に従って前記複数のサブフレームのうちの第2のサブフレームの間に前記下位エンティティから前記アップリンクACKを受信するステップと
を備える、方法。
【請求項２】
前記構成可能な遅延を決定するステップが、チャネル条件に基づいて、2つ以上の下位エンティティに対する異なる構成可能な遅延をそれぞれ決定するステップを備える、請求項1に記載の方法。
【請求項３】
前記第1のサブフレームがダウンリンクセントリックサブフレームを備え、前記第2のサブフレームがダウンリンクセントリックサブフレームを備える、請求項1に記載の方法。
【請求項４】
前記第1のサブフレームがダウンリンクセントリックサブフレームを備え、前記第2のサブフレームがアップリンクセントリックサブフレームを備える、請求項1に記載の方法。
【請求項５】
前記第1のサブフレームおよび前記第2のサブフレームが、1つまたは複数のサブフレームによって分離される、請求項1に記載の方法。
【請求項６】
前記第1のサブフレームおよび前記第2のサブフレームが同じサブフレームである、請求項1に記載の方法。
【請求項７】
前記リソースの許可が、前記アップリンクACKに対する許可を備える、請求項1に記載の方法。
【請求項８】
前記複数のサブフレームが、時分割複信サブフレームを備える、請求項1に記載の方法。
【請求項９】
ワイヤレス通信の方法であって、前記方法が、
第1のサブフレームと第2のサブフレームとを備える複数のサブフレームを利用して、下位エンティティへスケジューリングエンティティによって制御情報送信が送信されるための構成可能な遅延を決定するステップであって、前記構成可能な遅延は、前記第2のサブフレームにおいて前記制御情報送信を送信する前に、前記スケジューリングエンティティが第1のサブフレームにおいて前記下位エンティティから受信されたデータパケットを処理するために利用可能な整数個のサブフレームに対応する、ステップと、
前記下位エンティティから、前記第1のサブフレームの間に前記データパケットを受信するステップと、
前記構成可能な遅延に従って前記第2のサブフレームの間に前記制御情報送信を前記下位エンティティへ送信するステップであって、前記制御情報送信が、前記データパケットに基づいた前記第2のサブフレームのリソースの許可を備える、ステップと
を備える、方法。
【請求項１０】
前記構成可能な遅延に対応する時間期間の間に、前記下位エンティティから受信された前記データパケットに含まれるアップリンクデータパケットを処理するとともに前記制御情報送信に含まれるダウンリンク確認応答(ACK)の内容を決定するステップをさらに備える、請求項9に記載の方法。
【請求項１１】
前記構成可能な遅延を決定するステップが、チャネル条件に基づいて、2つ以上の下位エンティティに対する異なる構成可能な遅延をそれぞれ決定するステップを備える、請求項10に記載の方法。
【請求項１２】
前記第1のサブフレームがアップリンクセントリックサブフレームを備え、前記第2のサブフレームがダウンリンクセントリックサブフレームを備える、請求項10に記載の方法。
【請求項１３】
前記第1のサブフレームがアップリンクセントリックサブフレームを備え、前記第2のサブフレームがアップリンクセントリックサブフレームを備える、請求項10に記載の方法。
【請求項１４】
前記第1のサブフレームおよび前記第2のサブフレームが、1つまたは複数のサブフレームによって分離される、請求項10に記載の方法。
【請求項１５】
前記第1のサブフレームおよび前記第2のサブフレームが同じサブフレームである、請求項10に記載の方法。
【請求項１６】
前記制御情報送信が、下位エンティティ用のスケジューリング情報を備え、前記データパケットが、前記下位エンティティを含む下位エンティティのセットから受信された制御情報を備え、前記方法が、
前記第1のサブフレームの間に共通アップリンクバーストの中で前記下位エンティティのセットから前記制御情報を受信するステップと、
前記構成可能な遅延に対応する時間期間の間に、前記受信された制御情報を処理するとともに前記受信された制御情報に基づいて前記下位エンティティの前記スケジューリング情報を決定するステップと、
前記構成可能な遅延に従って前記第2のサブフレームの間に前記スケジューリング情報を前記下位エンティティへ送信するステップと
をさらに備える、請求項9に記載の方法。
【請求項１７】
前記複数のサブフレームが、時分割複信サブフレームを備える、請求項9に記載の方法。
【請求項１８】
ワイヤレス通信の方法であって、前記方法が、
下位エンティティが第1のサブフレームと第2のサブフレームとを備える複数のサブフレームを利用するためのリソースの許可または割当てを適用するための構成可能な遅延を決定するステップであって、前記構成可能な遅延は、前記リソースを利用するように前記下位エンティティのトランシーバを構成する前に、前記下位エンティティが前記許可または割当てを処理するために利用可能な整数個のサブフレームに対応する、ステップと、
、前記構成可能な遅延と前記リソースとを示す前記リソースの許可または割当てを前記下位エンティティへ送信するステップと、
前記第1のサブフレームにおいて、前記構成可能な遅延と前記第2のサブフレームのデータ部分においてダウンリンクデータを送信するためのリソースを示す前記リソースの許可または割当てを前記下位エンティティへ送信するステップと、
前記第2のサブフレームにおいて、前記構成可能な遅延に従って前記第2のサブフレームの前記データ部分において前記リソースを利用して前記下位エンティティと通信するステップと
を備える、方法。
【請求項１９】
前記構成可能な遅延を決定するステップが、チャネル条件に基づいて、2つ以上の下位エンティティに対する異なる構成可能な遅延をそれぞれ決定するステップを備える、請求項18に記載の方法。
【請求項２０】
前記第1のサブフレームがダウンリンクセントリックサブフレームを備え、前記第2のサブフレームがダウンリンクセントリックサブフレームを備える、請求項18に記載の方法。
【請求項２１】
前記第1のサブフレームがダウンリンクセントリックサブフレームを備え、前記第2のサブフレームがアップリンクセントリックサブフレームを備える、請求項18に記載の方法。
【請求項２２】
前記第1のサブフレームおよび前記第2のサブフレームが、1つまたは複数のサブフレームによって分離される、請求項18に記載の方法。
【請求項２３】
前記第1のサブフレームおよび前記第2のサブフレームが同じサブフレームである、請求項18に記載の方法。
【請求項２４】
前記複数のサブフレームが、時分割複信サブフレームを備える、請求項18に記載の方法。
【請求項２５】
ワイヤレス通信のための装置であって、
複数のサブフレームを利用して1つまたは複数の下位エンティティのセットと通信するように構成された通信インターフェースと、
実行可能コードを備えるメモリと、
前記通信インターフェースおよびメモリに動作可能に結合されたプロセッサとを備え、
前記プロセッサが、前記実行可能コードによって、
下位エンティティによってアップリンク確認応答(ACK)送信が送信されるための構成可能な遅延を決定することであって、前記構成可能な遅延は、前記アップリンクACKを送信する前に、前記下位エンティティがダウンリンクデータパケットを処理するために利用可能な整数個のサブフレームに対応する、ことと、
前記複数のサブフレームのうちの第1のサブフレームのリソースの許可を前記下位エンティティへ送信するためのことであって、前記許可が、前記構成可能な遅延を示す、ことと、
前記リソースを使用して前記第1のサブフレームの間に前記ダウンリンクデータパケットを前記下位エンティティへ送信することと、
前記構成可能な遅延に従って前記複数のサブフレームのうちの第2のサブフレームの間に前記下位エンティティから前記アップリンクACKを受信することと
を行うように構成される、装置。
【請求項２６】
前記プロセッサが、チャネル条件に基づいて、2つ以上の下位エンティティに対する異なる構成可能な遅延をそれぞれ決定するようにさらに構成される、請求項25に記載の装置。
【請求項２７】
前記第1のサブフレームがダウンリンクセントリックサブフレームを備え、前記第2のサブフレームがダウンリンクセントリックサブフレームを備える、請求項25に記載の装置。
【請求項２８】
前記第1のサブフレームがダウンリンクセントリックサブフレームを備え、前記第2のサブフレームがアップリンクセントリックサブフレームを備える、請求項25に記載の装置。
【請求項２９】
前記第1のサブフレームおよび前記第2のサブフレームが、1つまたは複数のサブフレームによって分離される、請求項25に記載の装置。
【請求項３０】
前記第1のサブフレームおよび前記第2のサブフレームが同じサブフレームである、請求項25に記載の装置。
【請求項３１】
前記リソースの許可が、前記アップリンクACKに対する許可を備える、請求項25に記載の装置。
【請求項３２】
前記複数のサブフレームが、時分割複信サブフレームを備える、請求項25に記載の装置。
【請求項３３】
ワイヤレス通信のための装置であって、
第1のサブフレームと第2のサブフレームとを備える複数のサブフレームを利用して1つまたは複数の下位エンティティのセットと通信するように構成された通信インターフェースと、
実行可能コードを備えるメモリと、
前記通信インターフェースおよびメモリに動作可能に結合されたプロセッサとを備え、
前記プロセッサが、前記実行可能コードによって、
下位エンティティへ前記装置によって制御情報送信が送信されるための構成可能な遅延を決定することであって、前記構成可能な遅延は、前記第2のサブフレームにおいて前記制御情報送信を送信する前に、前記装置が第1のサブフレームにおいて前記下位エンティティから受信されたデータパケットを処理するために利用可能な整数個のサブフレームに対応する、ことと、
前記第1のサブフレームの間に前記下位エンティティから前記データパケットを受信することと、
前記構成可能な遅延に従って前記第2のサブフレームの間に前記制御情報送信を前記下位エンティティへ送信することであって、前記制御情報送信が、前記データパケットに基づいた前記第2のサブフレームのリソースの許可を備える、ことと
を行うように構成される、装置。
【請求項３４】
前記プロセッサが、
前記構成可能な遅延に対応する時間期間の間に、前記下位エンティティから受信された前記データパケットに含まれるアップリンクデータパケットを処理するとともに前記制御情報送信に含まれるダウンリンク確認応答(ACK)の内容を決定するようにさらに構成される、請求項33に記載の装置。
【請求項３５】
前記プロセッサが、チャネル条件に基づいて、2つ以上の下位エンティティに対する異なる構成可能な遅延をそれぞれ決定するようにさらに構成される、請求項34に記載の装置。
【請求項３６】
前記第1のサブフレームがアップリンクセントリックサブフレームを備え、前記第2のサブフレームがダウンリンクセントリックサブフレームを備える、請求項34に記載の装置。
【請求項３７】
前記第1のサブフレームがアップリンクセントリックサブフレームを備え、前記第2のサブフレームがアップリンクセントリックサブフレームを備える、請求項34に記載の装置。
【請求項３８】
前記第1のサブフレームおよび前記第2のサブフレームが、1つまたは複数のサブフレームによって分離される、請求項34に記載の装置。
【請求項３９】
前記第1のサブフレームおよび前記第2のサブフレームが同じサブフレームである、請求項34に記載の装置。
【請求項４０】
前記制御情報送信が、下位エンティティ用のスケジューリング情報を備え、前記データパケットが、前記下位エンティティを含む下位エンティティのセットから受信された制御情報を備え、前記プロセッサが、
前記第1のサブフレームの間に共通アップリンクバーストの中で前記下位エンティティのセットから前記制御情報を受信することと、
前記構成可能な遅延に対応する時間期間の間に、前記受信された制御情報を処理するとともに前記受信された制御情報に基づいて前記下位エンティティの前記スケジューリング情報を決定することと、
前記構成可能な遅延に従って前記第2のサブフレームの間に前記スケジューリング情報を前記下位エンティティへ送信することと
をさらに行うように構成される、請求項33に記載の装置。
【請求項４１】
前記複数のサブフレームが、時分割複信サブフレームを備える、請求項33に記載の装置。
【請求項４２】
ワイヤレス通信のための装置であって、
第1のサブフレームと第2のサブフレームとを備える複数のサブフレームを利用して1つまたは複数の下位エンティティのセットと通信するように構成された通信インターフェースと、
実行可能コードを備えるメモリと、
前記通信インターフェースおよびメモリに動作可能に結合されたプロセッサとを備え、
前記プロセッサが、前記実行可能コードによって、
下位エンティティが前記複数のサブフレームを利用するためのリソースの許可または割当てを適用するための構成可能な遅延を決定することであって、前記構成可能な遅延は、前記リソースを利用するように前記下位エンティティのトランシーバを構成する前に、前記下位エンティティが前記許可または割当てを処理するために利用可能な整数個のサブフレームに対応する、ことと、
前記第1のサブフレームにおいて、前記構成可能な遅延と前記第2のサブフレームのデータ部分においてダウンリンクデータを送信するためのリソースとを示す前記リソースの許可または割当てを前記下位エンティティへ送信することと、
前記第2のサブフレームにおいて、前記構成可能な遅延に従って前記第2のサブフレームの前記データ部分において前記リソースを利用して前記下位エンティティと通信することとと
を行うように構成される、装置。
【請求項４３】
前記プロセッサが、チャネル条件に基づいて、2つ以上の下位エンティティに対する異なる構成可能な遅延をそれぞれ決定するようにさらに構成される、請求項42に記載の装置。
【請求項４４】
前記第1のサブフレームがダウンリンクセントリックサブフレームを備え、前記第2のサブフレームがダウンリンクセントリックサブフレームを備える、請求項42に記載の装置。
【請求項４５】
前記第1のサブフレームがダウンリンクセントリックサブフレームを備え、前記第2のサブフレームがアップリンクセントリックサブフレームを備える、請求項42に記載の装置。
【請求項４６】
前記第1のサブフレームおよび前記第2のサブフレームが、1つまたは複数のサブフレームによって分離される、請求項42に記載の装置。
【請求項４７】
前記第1のサブフレームおよび前記第2のサブフレームが同じサブフレームである、請求項42に記載の装置。
【請求項４８】
前記複数のサブフレームが、時分割複信サブフレームを備える、請求項42に記載の装置。
【請求項４９】
ユーザ機器(UE)がスケジューリングエンティティと通信するためのワイヤレス通信の方法であって、前記方法が、
複数のサブフレームのうちの第1のサブフレームにおいて、前記第1のサブフレームのリソースの許可を前記スケジューリングエンティティから受信するステップであって、前記許可が、アップリンク確認応答(ACK)送信を送信する前に、前記UEがダウンリンクデータパケットを処理するために利用可能な整数個のサブフレームに対応する構成可能な遅延を示す、ステップと、
前記リソースを使用して前記第1のサブフレームの間に前記スケジューリングエンティティから前記ダウンリンクデータパケットを受信するステップと、
前記構成可能な遅延に従って前記複数のサブフレームのうちの第2のサブフレームの間に前記スケジューリングエンティティへ前記アップリンクACKを送信するステップと
を備える、方法。
【請求項５０】
前記第1のサブフレームがダウンリンクセントリックサブフレームを備え、前記第2のサブフレームがダウンリンクセントリックサブフレームを備える、請求項49に記載の方法。
【請求項５１】
前記第1のサブフレームがダウンリンクセントリックサブフレームを備え、前記第2のサブフレームがアップリンクセントリックサブフレームを備える、請求項49に記載の方法。
【請求項５２】
前記第1のサブフレームおよび前記第2のサブフレームが、1つまたは複数のサブフレームによって分離される、請求項49に記載の方法。
【請求項５３】
前記第1のサブフレームおよび前記第2のサブフレームが同じサブフレームである、請求項49に記載の方法。
【請求項５４】
前記リソースの許可が、前記アップリンクACKに対する許可を備える、請求項49に記載の方法。
【請求項５５】
前記複数のサブフレームが、時分割複信サブフレームを備える、請求項49に記載の方法。
【請求項５６】
ユーザ機器(UE)がスケジューリングエンティティと通信するためのワイヤレス通信の方法であって、前記方法が、
複数のサブフレームのうちの第1のサブフレームにおいて、データパケットを前記スケジューリングエンティティへ送信するステップと、
前記スケジューリングエンティティによって構成された構成可能な遅延に従って前記複数のサブフレームのうちの第2のサブフレームの間に前記スケジューリングエンティティから制御情報を受信するステップであって、前記構成可能な遅延が、前記スケジューリングエンティティが、前記第2のサブフレームにおいて前記UEへ前記制御情報を送信する前に、前記第1のサブフレームにおいて前記UEによって送信された前記データパケットを処理するために利用可能な整数個のサブフレームに対応し、前記制御情報が、前記データパケットに基づいた前記第2のサブフレームのリソースの許可を備える、ステップと、
を備える、方法。
【請求項５７】
前記第1のサブフレームの間に前記スケジューリングエンティティへ前記データパケットに含まれるアップリンクデータパケットを送信するステップと、
前記構成可能な遅延に従って前記第2のサブフレームの間に前記制御情報に含まれるダウンリンク確認応答(ACK)を受信するステップとをさらに備える、請求項56に記載の方法。
【請求項５８】
前記第1のサブフレームがアップリンクセントリックサブフレームを備え、前記第2のサブフレームがダウンリンクセントリックサブフレームを備える、請求項57に記載の方法。
【請求項５９】
前記第1のサブフレームがアップリンクセントリックサブフレームを備え、前記第2のサブフレームがアップリンクセントリックサブフレームを備える、請求項57に記載の方法。
【請求項６０】
前記第1のサブフレームおよび前記第2のサブフレームが、1つまたは複数のサブフレームによって分離される、請求項57に記載の方法。
【請求項６１】
前記第1のサブフレームおよび前記第2のサブフレームが同じサブフレームである、請求項57に記載の方法。
【請求項６２】
前記複数のサブフレームが、時分割複信サブフレームを備える、請求項56に記載の方法。
【請求項６３】
下位エンティティが第1のサブフレームと第2のサブフレームとを備える複数のサブフレームを利用してスケジューリングエンティティと通信するためのワイヤレス通信の方法であって、前記方法が、
前記第1のサブフレームにおいて、リソースの許可または割当てを前記スケジューリングエンティティから受信するステップであって、前記許可または割当てが、前記第2のサブフレームのデータ部分においてダウンリンクデータを送信するための前記リソースと、前記下位エンティティが、前記リソースを利用するように前記下位エンティティのトランシーバを構成する前に、前記リソースの許可または割当てを処理するために利用可能な整数個のサブフレームに対応する構成可能な遅延とを示す、ステップと、
前記第2のサブフレームにおいて、前記構成可能な遅延に従って前記第2のサブフレームの前記データ部分において前記リソースを利用して前記スケジューリングエンティティと通信するステップと
を備える、方法。
【請求項６４】
前記第1のサブフレームがダウンリンクセントリックサブフレームを備え、前記第2のサブフレームがダウンリンクセントリックサブフレームを備える、請求項63に記載の方法。
【請求項６５】
前記第1のサブフレームがダウンリンクセントリックサブフレームを備え、前記第2のサブフレームがアップリンクセントリックサブフレームを備える、請求項63に記載の方法。
【請求項６６】
前記第1のサブフレームおよび前記第2のサブフレームが、1つまたは複数のサブフレームによって分離される、請求項63に記載の方法。
【請求項６７】
前記第1のサブフレームおよび前記第2のサブフレームが同じサブフレームである、請求項63に記載の方法。
【請求項６８】
前記複数のサブフレームが、時分割複信サブフレームを備える、請求項63に記載の方法。
【請求項６９】
ワイヤレス通信のためのユーザ機器(UE)であって、
第1のサブフレームと第2のサブフレームとを備える複数のサブフレームを利用してスケジューリングエンティティと通信するように構成された通信インターフェースと、
実行可能コードを備えるメモリと、
前記通信インターフェースおよびメモリに動作可能に結合されたプロセッサとを備え、
前記プロセッサが、前記実行可能コードによって、
前記第1のサブフレームにおいて、前記第1のサブフレームのリソースの許可を前記スケジューリングエンティティから受信することであって、前記許可が、アップリンク確認応答(ACK)送信を送信する前に、前記UEがダウンリンクデータパケットを処理するために利用可能な整数個のサブフレームに対応する構成可能な遅延を示す、ことと、
前記リソースを使用して前記第1のサブフレームの間に前記スケジューリングエンティティから前記ダウンリンクデータパケットを受信することと、
前記構成可能な遅延に従って前記第2のサブフレームの間に前記スケジューリングエンティティへ前記アップリンクACKを送信することと
を行うように構成される、UE。
【請求項７０】
前記第1のサブフレームがダウンリンクセントリックサブフレームを備え、前記第2のサブフレームがダウンリンクセントリックサブフレームを備える、請求項69に記載のUE。
【請求項７１】
前記第1のサブフレームがダウンリンクセントリックサブフレームを備え、前記第2のサブフレームがアップリンクセントリックサブフレームを備える、請求項69に記載のUE。
【請求項７２】
前記第1のサブフレームおよび前記第2のサブフレームが、1つまたは複数のサブフレームによって分離される、請求項69に記載のUE。
【請求項７３】
前記第1のサブフレームおよび前記第2のサブフレームが同じサブフレームである、請求項69に記載のUE。
【請求項７４】
前記リソースの許可が、前記アップリンクACKに対する許可を備える、請求項69に記載のUE。
【請求項７５】
前記複数のサブフレームが、時分割複信サブフレームを備える、請求項69に記載のUE。
【請求項７６】
ワイヤレス通信のためのユーザ機器(UE)であって、
第1のサブフレームと第2のサブフレームとを備える複数のサブフレームを利用してスケジューリングエンティティと通信するように構成された通信インターフェースと、
実行可能コードを備えるメモリと、
前記通信インターフェースおよびメモリに動作可能に結合されたプロセッサとを備え、
前記プロセッサが、前記実行可能コードによって、
前記第1のサブフレームにおいて、データパケットを前記スケジューリングエンティティへ送信することと、
前記スケジューリングエンティティによって構成された構成可能な遅延に従って前記第2のサブフレームの間に前記スケジューリングエンティティから制御情報を受信することであって、前記構成可能な遅延が、前記スケジューリングエンティティが、前記第2のサブフレームにおいて前記UEへ前記制御情報を送信する前に、前記第1のサブフレームにおいて前記UEによって送信された前記データパケットを処理するために利用可能な整数個のサブフレームに対応し、前記制御情報が、前記データパケットに基づいた前記第2のサブフレームのリソースの許可を備える、ことと、
を行うように構成される、UE。
【請求項７７】
前記第1のサブフレームの間に前記スケジューリングエンティティへ前記データパケットに含まれるアップリンクデータパケットを送信することと、
前記構成可能な遅延に従って前記第2のサブフレームの間に前記制御情報に含まれるダウンリンク確認応答(ACK)を受信することとを行うようにさらに構成される、請求項76に記載のUE。
【請求項７８】
前記第1のサブフレームがアップリンクセントリックサブフレームを備え、前記第2のサブフレームがダウンリンクセントリックサブフレームを備える、請求項77に記載のUE。
【請求項７９】
前記第1のサブフレームがアップリンクセントリックサブフレームを備え、前記第2のサブフレームがアップリンクセントリックサブフレームを備える、請求項77に記載のUE。
【請求項８０】
前記第1のサブフレームおよび前記第2のサブフレームが、1つまたは複数のサブフレームによって分離される、請求項77に記載のUE。
【請求項８１】
前記第1のサブフレームおよび前記第2のサブフレームが同じサブフレームである、請求項77に記載のUE。
【請求項８２】
前記複数のサブフレームが、時分割複信サブフレームを備える、請求項76に記載のUE。
【請求項８３】
ワイヤレス通信のためのユーザ機器(UE)であって、
第1のサブフレームと第2のサブフレームとを備える複数のサブフレームを利用してスケジューリングエンティティと通信するように構成された通信インターフェースと、
実行可能コードを備えるメモリと、
前記通信インターフェースおよびメモリに動作可能に結合されたプロセッサとを備え、
前記プロセッサが、前記実行可能コードによって、
前記第1のサブフレームにおいて、リソースの許可または割当てを前記スケジューリングエンティティから受信することであって、前記許可または割当てが、前記第2のサブフレームのデータ部分においてダウンリンクデータを送信するための前記リソースと、前記UEが、前記リソースを利用するように前記通信インターフェースを構成する前に、前記許可または割当てを処理するために利用可能な整数個のサブフレームに対応する構成可能な遅延とを示す、ことと、
前記第2のサブフレームにおいて、前記構成可能な遅延に従って前記第2のサブフレームの前記データ部分において前記リソースを利用して前記スケジューリングエンティティと通信することと
を行うように構成される、UE。
【請求項８４】
前記第1のサブフレームがダウンリンクセントリックサブフレームを備え、前記第2のサブフレームがダウンリンクセントリックサブフレームを備える、請求項83に記載のUE。
【請求項８５】
前記第1のサブフレームがダウンリンクセントリックサブフレームを備え、前記第2のサブフレームがアップリンクセントリックサブフレームを備える、請求項83に記載のUE。
【請求項８６】
前記第1のサブフレームおよび前記第2のサブフレームが、1つまたは複数のサブフレームによって分離される、請求項83に記載のUE。
【請求項８７】
前記第1のサブフレームおよび前記第2のサブフレームが同じサブフレームである、請求項83に記載のUE。
【請求項８８】
前記複数のサブフレームが、時分割複信サブフレームを備える、請求項83に記載のUE。